(57)【特許請求の範囲】
【請求項１】
防火シャッターと交差する間仕切りを設置する際に、
間隙を有する左右の前記間仕切りの端面間に、該間仕切りの対向する端面のそれぞれに基部を固定すると共に先端部のそれぞれを互いに重ね合わせて、可撓板を対向させて配設したこと、
を特徴とする防火シャッターと交差する間仕切りの構造。
【請求項２】
一方の可撓板の基部は、当該可撓板の先端部が他方の可撓板の先端部に押しつけられるように、前後方向に台座部材でオフセットされ固定されていること、
を特徴とする請求項１に記載の防火シャッターと交差する間仕切りの構造。
【発明の詳細な説明】
【技術分野】
【０００１】
本発明は、防火シャッターと交差する間仕切りの構造に関するものである。
【背景技術】
【０００２】
従来、間仕切りの一例としては特許文献１に示すような間仕切りの施工方法が知られている。この間仕切りにおいて、室内の区画変更により防火シャッターを跨いで間仕切りを設置する必要がある場合には、防火シャッターの閉鎖に支障をきたさないように、例えば、従来例１として図５に示すように、防火シャッターを２分割にするか、若しくは、従来例２としてパーテーションにスリットを設けるようにしている。
【先行技術文献】
【特許文献】
【０００３】
【特許文献１】特開平６−２８８１５２号公報
【発明の概要】
【発明が解決しようとする課題】
【０００４】
しかし、従来の防火シャッターと交差する間仕切りの構造では、例えば、上述の従来例１では、図５に示すように、防火シャッターを分割するので既存のシャッターを撤去し、新設のシャッター２１，２１を設けると共に、既存の間仕切り２２の他に新設の間仕切り２３が必要であり、シャッター間の隙間には、シャッターガイドレール方立２４も設けなければならない。このように、作業工程や製造コストが増大し、工事範囲も拡大する。また、従来例２では、スリット部の隙間の処理において、ブラシのような素材で隙間処理する場合があるが、ブラシが劣化してその毛が抜けやすいと言う問題がある。特に、食品工場等のように清潔な状態を維持しなければならないエリアでは、前記抜け毛による異物混入に繋がるおそれがある。
【０００５】
また、ブラシのような素材では、小さな隙間処理に難がある。更に、ブラシで隙間を無くすように密なブラシにすると、却って防火シャッターの閉鎖に支障をきたすおそれがある。本発明に係る防火シャッターと交差する間仕切りの構造は、このような課題を解決するために提案されたものである。
【課題を解決するための手段】
【０００６】
本発明に係る防火シャッターと交差する間仕切りの構造の上記課題を解決して目的を達成するための要旨は、防火シャッターと交差する間仕切りを設置する際に、間隙を有する左右の前記間仕切りの端面間に、該間仕切りの対向する端面のそれぞれに基部を固定すると共に先端部のそれぞれを互いに重ね合わせて、可撓板を対向させて配設したことである。
更に、前記一方の可撓板の基部は、当該可撓板の先端部が他方の可撓板の先端部に押しつけられるように、前後方向に台座部材でオフセットされ固定されている間仕切りの構造とする事を含むものである。
【発明の効果】
【０００７】
本発明の防火シャッターと交差する間仕切りの構造によれば、既存の防火シャッターを２分割することなくそのままにして使用でき、間仕切りをシャッターの両側に配設して行うので、コスト的にも改装費用が嵩むことなく、工程を少なくして工事範囲も縮小させることができる。
また、シャッターを挟む間仕切り間の隙間を、ゴム板等の可撓板を使用して塞ぐことで、劣化による異物混入を防止できる。
本発明に係る防火シャッターと交差する間仕切り構造は、特に、衛生管理や良質環境レベルの維持が要求される、例えば、食品工場，冷蔵・冷凍倉庫，特殊物保管用倉庫等において、区画室の移動・変更に伴う間仕切り変更に適した間仕切り構造となる。
前記隙間を塞ぐ可撓板の先端部を重ねることで、空気圧により開かないようにして空調バランスを維持すると共に、防火シャッターの閉鎖に支障をきたすことがない。
前記可撓板の一方をオフセットさせて浮かせることで、この可撓板が開くことへの抵抗を減らすようにしたので、防火シャッターの閉鎖時の負荷が軽減され閉鎖しやすくなるものである、等数々の優れた効果を奏するものである。
【図面の簡単な説明】
【０００８】
【図１−Ａ】本発明に係る防火シャッターと交差する間仕切りの構造に改装する様子を示す説明用概略平面図（Ａ），（Ｂ）である。
【図１−Ｂ】同本発明に係る防火シャッターと交差する間仕切りの構造の、シャッターが巻き上げられた通常の状態の一部拡大平面図である。
【図２】同本発明の防火シャッターと交差する間仕切りの構造における間仕切りの隙間の一部拡大正面図である。
【図３】同本発明の防火シャッターと交差する間仕切りの構造における、シャッターを降ろした状態の間仕切りの隙間の拡大平面図である。
【図４】本発明の第２実施例と第３実施例とを示す一部拡大平面図（Ａ），（Ｂ）である。
【図５】従来例において、防火シャッターを２分割して間仕切りして区画する場合の平断面図である。
【発明を実施するための形態】
【０００９】
本発明に係る防火シャッターと交差する間仕切りの構造１は、図１−Ａ（Ａ）に示すように、清潔エリアを有するような食品工場において、既存のパーテーション２が防火シャッター３の手前に配置された区画となっている。これを、図１−Ａ（Ｂ）に示すように、前記防火シャッター３を跨いで、直交した状態に前記既存のパーテーション２と新設のパーテーション４を配置して、区画変更するものである。防火シャッター３は、通常は上方に巻き上げられているが、火災等の非常時には降ろして閉鎖する必要があるので、前記パーテーション２，４の間には隙間があり、空調等を施行するので当該隙間を、可撓板である塞ぎゴムシート（以下、ゴム板と称する）によって塞ぐものである。
【実施例１】
【００１０】
本発明に係る間仕切り構造１は、前記防火シャッター３と交差する間仕切り２，４を設置する際に、図１−Ｂ乃至図２に示すように、間隙を有する左右の前記間仕切りのパーテーション２，４の端面間に、該間仕切りの対向する端面のそれぞれに、基部５ａを固定すると共に先端部５ｂのそれぞれを互いに重ね合わせて、可撓板であるゴム板５を対向させて配設する構造である。
【００１１】
前記既存のパーテーション２の金属製（例えばアルミニウム製）方立２ａの片側側面に、前記ゴム板５の基部５ａをフラットバー６で押さえて、セルフタッピングネジ７で固定する。前記ゴム板５は、厚さが約１ｍｍで、この一例では幅が約５５ｍｍ程度、長さ（縦方向）が１．８ｍ〜２ｍ程度である。前記フラットバー６は、厚さが２〜３ｍｍで、幅が約１０ｍｍ、長さ（縦方向）が１ｍ〜２ｍで適宜である。
【００１２】
前記既存のパーテーション２側のゴム板５に対向して、新規のパーテーション４の方立４ａの片側側面に、同じ大きさのゴム板５を固定する。そして、この新規パーテーション４側のゴム板５の基部５ａが当該ゴム板５の先端部５ｂが他方のゴム板５の先端部５ｂに押しつけられるように前後方向に台座部材８でオフセットされ固定されている。
【００１３】
前記台座部材８は、一例として厚さが５ｍｍで、幅が約２０ｍｍ、長さ（縦方向）が１ｍ〜２ｍ程度の適宜長さのアルミニウム製板である。この台座部材８の板厚は、パーテーション２，４間の隙間の程度と、ゴム板５，５同士の重ね具合により、設定されるものである。
【００１４】
このように、既存の防火シャッター３をそのままにして、既存のパーテーション２に新規のパーテーション４を設置し、ゴム板５，５をその先端部５ａ，５ａを重ねて隙間を塞ぐようにしたものである。図２において、防火シャッター３における符号３ａはシャッタースラットを示し、符号３ｂはシャッター座板を示す。また、符号９は天井ボード、符号１０はシャッター上枠を示し、符号５ｃがゴム板５の重ね部分（一例として約２５ｍｍ）を示している。
【００１５】
なお、台座部材８によってゴム板５を前後方向にオフセットさせる場合、新規のパーテーション４側に設ける場合だけでなく、既存のパーテーション２側に台座部材８を設けてゴム板５をオフセットさせるようにしても良い。
【００１６】
本発明に係る間仕切りの構造１によれば、図３に示すように、防火シャッター３が非常時に降ろされた場合、前記対向配置のゴム板５，５が、シャッターの閉鎖性を損なうことなく屈曲して逃げ、隙間を塞いでいるものである。
【実施例２】
【００１７】
本発明の第２実施例の間仕切りの構造１ａは、図４（Ａ）に示すように、パーテーション２，４の隙間の間に対向配置のゴム板５，５を、前後方向で方立２ａ，４ａの両側の側面に設けるようにするものである。このようにすることで、空調用空気などの漏れが少なくなって、区画室の閉鎖がより確実なものになるものである。
【００１８】
本発明の第３実施例の間仕切り構造１ｂは、図４（Ｂ）に示すように、一方の方立４ｂにおいて、前記ゴム板５をオフセットさせるように形状を、段差が着くように変形させたものである。このような段差を設けた方立４ｂによる方法でも、一方のゴム板５をオフセットさせることができる。
【産業上の利用可能性】
【００１９】
本発明に係る間仕切り構造は、特に清潔性が要請される区画室等に適しているが、これに限らずクリーンルームや一般の事務室などにも広く適用できるものである。
【符号の説明】
【００２０】
１          間仕切り構造、
１ａ，１ｂ  第２実施例と第３実施例の間仕切り構造、
２          既存のパーテーション、
３          防火シャッター、
４          新設のパーテーション、                ４ａ        方立、
４ｂ        段差を設けた方立、
５          可撓板であるゴム板、                  ５ａ        基部、
５ｂ        先端部、                              ５ｃ        重ね部分、
６          フラットバー、
７          セルフタッピングネジ、
８          台座部材、
９          天井ボード、
１０        シャッター上枠、                                      
２１        新設のシャッター、
２２        既存の間仕切り、
２３        新設の間仕切り、
２４        シャッターガイドレール方立。
【図１−Ａ】
0005508914.tif 000002
【図１−Ｂ】
0005508914.tif 000003
【図２】
0005508914.tif 000004
【図３】
0005508914.tif 000005
【図４】
0005508914.tif 000006
【図５】
0005508914.tif 000007